(57)【要約】  【課題】  それぞれのアンテナにおいて水平偏波と垂直偏波の利得差を少なくするとともに、それぞれの指向性を無指向性に近づけ、かつ、偏波の違いに強いダイバーシティアンテナを提供する。  【解決手段】  第１の長手導体部１１と第２の長手導体部２１それぞれの中心軸が互いに略垂直となり、第１の給電用導体部１３と第２の給電用導体部２３それぞれの中心軸が互いに略平行となり、第１の長手導体部１１と第２の長手導体部２１とが外側を向き、第１のプリント基板１４と第２のプリント基板２４とが、略平行となるように対向させて、第１の逆Ｆ型アンテナ１０及び第２の逆Ｆ型アンテナ２０を配置する。【選択図】      図１
2006129537.tif 000002
【特許請求の範囲】
【請求項１】
一枚の金属板を折り曲げて形成されるとともに、第１の長手導体部と、この第１の長手導体部の側面の１つに第１の長手導体部に対して略垂直に設けられた第１の接地用導体部と、第１の長手導体部の他の側面に第１の長手導体部に対して略垂直に設けられた第１の給電用導体部とからなる第１の逆Ｆ型アンテナと、
一枚の金属板を折り曲げて形成されるとともに、第２の長手導体部と、この第２の長手導体部の側面の１つに第２の長手導体部に対して略垂直に設けられた第２の接地用導体部と、第２の長手導体部の他の側面に第２の長手導体部に対して略垂直に設けられた第２の給電用導体部とからなる第２の逆Ｆ型アンテナとで構成されるダイバーシティアンテナであって、
第１の長手導体部と第２の長手導体部それぞれの中心軸が互いに略垂直となり、かつ、第１の給電用導体部と第２の給電用導体部それぞれの中心軸が互いに略平行となり、かつ、前記第１の長手導体部と前記第２の長手導体部とが対向するように、前記第１及び第２の逆Ｆ型アンテナの間に十分な間隔を開けて配置したことを特徴とするダイバーシティアンテナ。
【請求項２】
前記第１の逆Ｆ型アンテナは、第１のプリント基板を備え、前記第１の接地用導体部は第１のプリント基板のグランドパターンと電気的に接続されているとともに、前記第１の給電用導体部は第１のプリント基板の給電点と電気的に接続され、前記第２の逆Ｆ型アンテナは、第２のプリント基板を備え、前記第２の接地用導体部は第２のプリント基板のグランドパターンと電気的に接続されているとともに、前記第２の給電用導体部は第２のプリント基板の給電点と電気的に接続され、第１のプリント基板と第２のプリント基板とは、略平行となるように対向して配置されていることを特徴とする請求項１に記載のダイバーシティアンテナ。
【請求項３】
前記第１のプリント基板及び前記第２のプリント基板の外周は、使用する電波の波長と略同じ長さとしたことを特徴とする請求項２に記載のダイバーシティアンテナ。
【請求項４】
前記第１のプリント基板と前記第２のプリント基板が対向して配置されたその中心に対して、第１のプリント基板の前記第１の長手導体部が設けられた面と、第２のプリント基板の前記第２の長手導体部が設けられた面とは、互いに外側を向くように配置されていることを特徴とする請求項２または請求項３に記載のダイバーシティアンテナ。
【請求項５】
前記第１の逆Ｆ型アンテナの第１の長手導体部は、前記第１の給電用導体部を上側にしてその中心軸が略垂直に配置され、前記第２の逆Ｆ型アンテナの第２の長手導体部は、その中心軸が略水平に配置されていることを特徴とする請求項２〜請求項４のいずれかに記載のダイバーシティアンテナ。
【請求項６】
前記第２の逆Ｆ型アンテナは、前記第２の長手導体部が、前記第２のプリント基板の水平方向中心軸よりも上側になるように配置されていることを特徴とする請求項２〜請求項５までのいずれかに記載のダイバーシティアンテナ。
【請求項７】
請求項１〜請求項６までのいずれかに記載のダイバーシティアンテナと、このダイバーシティアンテナが接続された送受信回路基板ユニットとを備えた無線通信装置において、前記第１の逆Ｆ型アンテナと前記第２の逆Ｆ型アンテナとは、前記送受信回路基板ユニットを挟んでそれを中心にして略対称となるように配置されていることを特徴とする無線通信装置。
【発明の詳細な説明】
【技術分野】
【０００１】
本発明は、ダイバーシティアンテナおよびそれを備えた無線通信装置に関するものである。
【背景技術】
【０００２】
最近の通信技術の進展に伴い、無線通信装置が小型化され、この無線通信装置に用いられる小型のアンテナの１つとして、逆Ｆ型アンテナがある。逆Ｆ型アンテナは、素子の長さを１／４波長にでき、給電点を素子の途中にすることができるので、小型化するのに好都合である。そして、この逆Ｆ型アンテナを２つ用いたダイバーシティアンテナがある。
【０００３】
図７は、従来のダイバーシティアンテナを示す外観斜視図である。従来のダイバーシティアンテナ５０は、板状の逆Ｆ型アンテナ６０及び板状の逆Ｆ型アンテナ７０で構成される。そして、板状の逆Ｆ型アンテナ６０及び板状の逆Ｆ型アンテナ７０は、無線通信装置の筐体５１の上面に配置されている。
【０００４】
逆Ｆ型アンテナ６０は、プレート６１、接地プレート６２、給電線６３及び給電点６４からなり、逆Ｆ型アンテナ７０は、プレート７１、接地プレート７２、給電線７３及び給電点７４からなる。
【０００５】
そして、プレート６１、７１は、それぞれ、長方形状の金属導体で構成され、その長方形の各辺の長さは、使用する周波数に応じて寸法が決定される。また、接地プレート６２、７２は、それぞれ、金属導体であり、プレート６１、７１を無線通信装置の筐体５１に接地している。また、給電線６３、７３は、それぞれ、準マイクロ波電流を給電点６４、７４に与えて、プレート６１、７１を励振する。また、給電点６４、７４は、それぞれ、プレート６１、７１に最も大きい電流を供給できる点である。また、無線通信装置の筐体５１は、箱状である。
【０００６】
図７において、逆Ｆ型アンテナ６０及び逆Ｆ型アンテナ７０が配置された、無線通信装置の筐体５１の上面に対して平行な面を水平面Ｈとし、無線通信装置の筐体５１の上面に対して垂直な方向を垂直軸Ｖとする。
【０００７】
図８は、上記、図７の従来のダイバーシティアンテナ５０の指向性パターンを示す図である。図８（ａ）は、逆Ｆ型アンテナ６０において、垂直軸Ｖ基準の指向性パターンを示す図であり、垂直偏波に対する指向性パターンを実線で示し、水平偏波に対する指向性パターンを点線で示している。また、図８（ｂ）は、逆Ｆ型アンテナ７０において、垂直軸Ｖ基準の指向性パターンを示す図であり、垂直偏波に対する指向性パターンを実線で示し、水平偏波に対する指向性パターンを点線で示している。
【特許文献１】特開昭６３−０３１８８２６号公報
【特許文献２】特開平０８−１８６２４２９号公報
【特許文献３】特開昭６２−０２０９９０４号公報
【特許文献４】特開平０９−０１６７２１４号公報
【発明の開示】
【発明が解決しようとする課題】
【０００８】
しかしながら、上記従来技術では、以下に述べるような問題があった。すなわち、図８（ａ）の逆Ｆ型アンテナ６０及び図８（ｂ）の逆Ｆ型アンテナ７０の垂直軸Ｖ基準の指向性パターンより明らかなように、まず、垂直偏波においては、逆Ｆ型アンテナ６０及び逆Ｆ型アンテナ７０が配置された、無線通信装置の筐体５１の上面を基準にし、上側の利得と比較して、その下側の利得が小さく、垂直軸Ｖ方向にヌル点を持つ。また、実線で示す垂直偏波の利得と比較して、点線で示す水平偏波の利得が小さくなっている。このようなアンテナは、それらを組み合わせてダイバーシティとしても、利得の小さい方向や、苦手となる偏波面が必ず存在してしまう。それらのアンテナを備えるシステムの使用状態、方向が一定で、一定の偏波だけを送受信するような場合においては有効であるが、使用状態、方向が一定でない為にあらゆる方向であらゆる偏波を送受信できなければならない場合においては、問題となる。
【０００９】
本発明は、上記のような課題を解決するためになされたものであって、垂直軸Ｖ基準の指向性パターンを見たとき、第１、第２のアンテナそれぞれが、垂直軸Ｖ方向に存在したヌル点が消され、垂直偏波及び水平偏波ともにあらゆる方向に対して利得を持つ、すなわち、無指向性に近くするようにしたものであり、また、実線で示す垂直偏波の利得と比較して、点線で示す水平偏波の利得が小さいことを改善したものである。さらに、ダイバーシティを動作させた時に、改善された第１、第２のアンテナの水平偏波を利用することにより、偏波の違いにも強くしたものである。
【課題を解決するための手段】
【００１０】
上記課題を解決するため、本発明のダイバーシティアンテナは、一枚の金属板を折り曲げて形成されるとともに、第１の長手導体部と、この第１の長手導体部の側面の１つに第１の長手導体部に対して略垂直に設けられた第１の接地用導体部と、第１の長手導体部の他の側面に第１の長手導体部に対して略垂直に設けられた第１の給電用導体部とからなる第１の逆Ｆ型アンテナと、一枚の金属板を折り曲げて形成されるとともに、第２の長手導体部と、この第２の長手導体部の側面の１つに第２の長手導体部に対して略垂直に設けられた第２の接地用導体部と、第２の長手導体部の他の側面に第２の長手導体部に対して略垂直に設けられた第２の給電用導体部とからなる第２の逆Ｆ型アンテナとで構成されるダイバーシティアンテナであって、第１の長手導体部と第２の長手導体部それぞれの中心軸が互いに略垂直となり、かつ、第１の給電用導体部と第２の給電用導体部それぞれの中心軸が互いに略平行となり、かつ、前記第１の長手導体部と前記第２の長手導体部とが対向するように、前記第１及び第２の逆Ｆ型アンテナの間に十分な間隔を開けて配置したことを特徴とする。
【００１１】
また、本発明は、前記第１の逆Ｆ型アンテナが、第１のプリント基板を備え、前記第１の接地用導体部は第１のプリント基板のグランドパターンと電気的に接続されているとともに、前記第１の給電用導体部は第１のプリント基板の給電点と電気的に接続され、前記第２の逆Ｆ型アンテナは、第２のプリント基板を備え、前記第２の接地用導体部は第２のプリント基板のグランドパターンと電気的に接続されているとともに、前記第２の給電用導体部は第２のプリント基板の給電点と電気的に接続され、第１のプリント基板と第２のプリント基板とは、略平行となるように対向して配置されていることを特徴とするものである。
【００１２】
また、本発明は、前記第１のプリント基板及び前記第２のプリント基板の外周は、使用する電波の波長と略同じ長さとしたことを特徴とするものである。
【００１３】
また、本発明は、前記第１のプリント基板と前記第２のプリント基板が対向して配置されたその中心に対して、第１のプリント基板の前記第１の長手導体部が設けられた面と、第２のプリント基板の前記第２の長手導体部が設けられた面とは、互いに外側を向くように配置されていることを特徴とするものである。
【００１４】
また、本発明は、前記第１の逆Ｆ型アンテナの第１の長手導体部は、前記第１の給電用導体部を上側にしてその中心軸が略垂直に配置され、前記第２の逆Ｆ型アンテナの第２の長手導体部は、その中心軸が略水平に配置されていることを特徴とするものである。
【００１５】
また、本発明は、前記第２の逆Ｆ型アンテナの前記第２の長手導体部が、前記第２のプリント基板の水平方向中心軸よりも上側になるように配置されていることを特徴とするものである。
【００１６】
また、本発明は、前記ダイバーシティアンテナと、このダイバーシティアンテナが接続された送受信回路基板ユニットとを備えた無線通信装置において、前記第１の逆Ｆ型アンテナと前記第２の逆Ｆ型アンテナとは、前記送受信回路基板ユニットを挟んでそれを中心にして略対称となるように配置されていることを特徴とするものである。
【発明の効果】
【００１７】
以上のように、本発明は、一枚の金属板を折り曲げて形成されるとともに、第１の長手導体部と、この第１の長手導体部の側面の１つに第１の長手導体部に対して略垂直に設けられた第１の接地用導体部と、第１の長手導体部の他の側面に第１の長手導体部に対して略垂直に設けられた第１の給電用導体部とからなる第１の逆Ｆ型アンテナと、一枚の金属板を折り曲げて形成されるとともに、第２の長手導体部と、この第２の長手導体部の側面の１つに第２の長手導体部に対して略垂直に設けられた第２の接地用導体部と、第２の長手導体部の他の側面に第２の長手導体部に対して略垂直に設けられた第２の給電用導体部とからなる第２の逆Ｆ型アンテナとで構成されるダイバーシティアンテナであって、第１の長手導体部と第２の長手導体部それぞれの中心軸が互いに略垂直となり、かつ、第１の給電用導体部と第２の給電用導体部それぞれの中心軸が互いに略平行となり、かつ、前記第１の長手導体部と前記第２の長手導体部とが対向するように、前記第１及び第２の逆Ｆ型アンテナの間に十分な間隔を開けて配置したことを特徴とするものである。
【００１８】
したがって、本発明によれば、垂直偏波の利得と、水平偏波の利得との差を少なくするようにしたことにより、垂直偏波、水平偏波の両方に対応するダイバーシティアンテナを提供することができる。又、第１及び第２の逆Ｆ型アンテナを１枚の金属板を折り曲げて形成するため、ダイバーシティアンテナを製造容易な構成とすることができる。
【００１９】
また、本発明は、前記第１の逆Ｆ型アンテナが、第１のプリント基板を備え、前記第１の接地用導体部は第１のプリント基板のグランドパターンと電気的に接続されているとともに、前記第１の給電用導体部は第１のプリント基板の給電点と電気的に接続され、前記第２の逆Ｆ型アンテナは、第２のプリント基板を備え、前記第２の接地用導体部は第２のプリント基板のグランドパターンと電気的に接続されているとともに、前記第２の給電用導体部は第２のプリント基板の給電点と電気的に接続され、第１のプリント基板と第２のプリント基板とは、略平行となるように対向して配置されていることを特徴とするものである。
【００２０】
したがって、本発明によれば、第１、第２のアンテナそれぞれが、垂直偏波及び水平偏波ともに、垂直軸Ｖの方向にヌル点を持たず、あらゆる方向へ利得を持つ、すなわち、無指向性に近く、また、前記それぞれの中心軸を互いに垂直になるように配置しているので、ダイバーシティとして動作させた時に偏波面の違いに強くなる。
【００２１】
また、本発明は、前記第１のプリント基板及び前記第２のプリント基板の外周は、使用する電波の波長と略同じ長さとしたことを特徴とするものである。
【００２２】
したがって、本発明によれば、電波は第１及び第２のプリント基板それぞれの第１及び第２の長手導体部が設けられた面の裏面へと回り込み、第１及び第２の逆Ｆ型アンテナの指向性パターンは、より無指向性に近いものとなり、さらに、垂直偏波の利得と水平偏波の利得との差が少なくなる。
【００２３】
また、本発明は、前記第１のプリント基板と前記第２のプリント基板が対向して配置されたその中心に対して、第１のプリント基板の前記第１の長手導体部が設けられた面と、第２のプリント基板の前記第２の長手導体部２１が設けられた面とは、互いに外側を向くように配置されていることを特徴とするものである。
【００２４】
したがって、本発明によれば、第１の逆Ｆ型アンテナの第１のプリント基板と、第２の逆Ｆ型アンテナの第２のプリント基板との間に障害物などが配置された場合においても、その障害物などの影響が少なくなるようにしたダイバーシティアンテナを提供することができる。
【００２５】
また、本発明は、前記第１の逆Ｆ型アンテナの第１の長手導体部は、前記第１の給電用導体部を上側にしてその中心軸が略垂直に配置され、前記第２の逆Ｆ型アンテナの第２の長手導体部は、その中心軸が略水平に配置されていることを特徴とするものである。
【００２６】
したがって、本発明によれば、前記それぞれの中心軸を、垂直偏波及び水平偏波それぞれの偏波面と一致させることにより、ダイバーシティとして動作させた時に偏波の違いに強くなる。さらに、最も電流の流れる給電点に接続される前記第１の給電用導体部を上側にしてその中心軸を略垂直に配置することにより、第１の逆Ｆ型アンテナの下側に対する障害物の影響を低減するようにしたダイバーシティアンテナを提供することができる。即ち、これらのアンテナを備えたシステムが壁や机などに設置されたとき、それらの影響を低減できる。
【００２７】
また、本発明は、前記第２の逆Ｆ型アンテナの前記第２の長手導体部が、前記第２のプリント基板の水平方向中心軸よりも上側になるように配置されていることを特徴とするものである。
【００２８】
したがって、本発明によれば、第２の長手導体部が、前記第２のプリント基板の水平方向中心軸よりも上側になるように配置することにより、第２の逆Ｆ型アンテナの下側に対する障害物の影響を低減するようにしたダイバーシティアンテナを提供することができる。即ち、これらのアンテナを備えたシステムが壁や机などに設置されたとき、それらの影響を低減できる。
【００２９】
また、本発明は、前記ダイバーシティアンテナと、このダイバーシティアンテナが接続された送受信回路基板ユニットとを備えた無線通信装置において、前記第１の逆Ｆ型アンテナと前記第２の逆Ｆ型アンテナとは、前記送受信回路基板ユニットを挟んでそれを中心にして略対称となるように配置されていることを特徴とするものである。
【００３０】
したがって、本発明によれば、小型化された無線通信装置の内部で第１の逆Ｆ型アンテナと第２の逆Ｆ型アンテナとの間隔を確保するとともに、送受信回路基板ユニットを第１の逆Ｆ型アンテナと、第２の逆Ｆ型アンテナとの間に配置することにより、その送受信回路基板ユニットの影響が少なくなるようにしたダイバーシティアンテナを備えた無線通信装置を提供することができる。
【発明を実施するための最良の形態】
【００３１】
図１は、本発明の実施形態に係わる第１の逆Ｆ型アンテナと第２の逆Ｆ型アンテナとで構成されるダイバーシティアンテナを示す図であり、図２は、本発明の実施形態に係わる第１の逆Ｆ型アンテナを示す外観斜視図であり、図３は、本発明の実施形態に係わる第２の逆Ｆ型アンテナを示す外観斜視図であり、図４は、本発明の実施形態に係わるダイバーシティアンテナの指向性パターンを示す図である。以下、本発明の実施形態について、図１から図４を参照して説明する。
【００３２】
図２は、本実施形態の第１の逆Ｆ型アンテナ１０を示す外観斜視図である。第１の逆Ｆ型アンテナ１０は、例えば、金属板を適切な形状に切り抜くとともに折り曲げることによって形成される。そして、第１の逆Ｆ型アンテナ１０は、第１の長手導体部１１と、この第１の長手導体部１１の側面の１つに第１の長手導体部１１に対して略垂直に設けられた第１の接地用導体部１２と、第１の長手導体部１１の他の側面に第１の長手導体部１１に対して略垂直に設けられた第１の給電用導体部１３とからなる。
【００３３】
さらに、第１の逆Ｆ型アンテナ１０は、第１の長手導体部１１に対向して設けられた第１のプリント基板１４を備え、第１のプリント基板１４には、グランドパターン１５と給電点１６が配設されている。そして、第１の接地用導体部１２の先端部が第１のプリント基板１４のグランドパターン１５と半田付けなどにより電気的に接続されているとともに、第１の給電用導体部１３の先端部が第１のプリント基板１４の給電点１６と半田付けなどにより電気的に接続されている。
【００３４】
第１のプリント基板１４の外周は、使用する電波の波長と略同じ長さとしている。例えば、使用する周波数が２．４ＧＨｚであれば、前記外周は約１２ｃｍとなり、第１のプリント基板１４の外形が正方形の場合は、たて約３ｃｍ・よこ約３ｃｍの大きさとなる。
【００３５】
通常広いグランドを必要とする逆Ｆ型アンテナにおいて、第１のプリント基板１４の外周を、使用する電波の波長と略同じ長さとすることで、電波は第１のプリント基板１４の第１の長手導体部１１が設けられた面の裏面へと回り込み、第１の逆Ｆ型アンテナ１０の指向性パターンは、後述する図４（ａ）に示すように、垂直軸Ｖのマイナス側へも広がるとともに、垂直軸Ｖ方向に存在したヌル点が消え、無指向性に近いものとなり、さらに、垂直偏波の利得と水平偏波の利得との差が少なくなる。
【００３６】
以上、本発明の実施形態において、第１の逆Ｆ型アンテナ１０は、金属板を適切な形状に切り抜くとともに折り曲げることによって形成されているが、これに限るものではなく、他の方法で逆Ｆ型アンテナを形成してもよい。
【００３７】
また、第１のプリント基板１４の外形は、正方形であるが、これに限定するものではなく、略四角形、多角形、または、その一部を変形させてもよい。
【００３８】
図３は、本実施形態の第２の逆Ｆ型アンテナ２０を示す外観斜視図である。第２の逆Ｆ型アンテナ２０は、例えば、金属板を適切な形状に切り抜くとともに折り曲げることによって形成される。そして、第２の逆Ｆ型アンテナ２０は、第１の長手導体部２１と、この第２の長手導体部２１の側面の１つに第２の長手導体部２１に対して略垂直に設けられた第２の接地用導体部２２と、第２の長手導体部２１の他の側面に第２の長手導体部２１に対して略垂直に設けられた第２の給電用導体部２３とからなる。
【００３９】
さらに、第２の逆Ｆ型アンテナ２０は、第２の長手導体部２１に対向して設けられた第２のプリント基板２４を備え、第２のプリント基板２４には、グランドパターン２５と給電点２６が配設されている。そして、第２の接地用導体部２２の先端部が第２のプリント基板２４のグランドパターン２５と半田付けなどにより電気的に接続されているとともに、第２の給電用導体部２３の先端部が第２のプリント基板２４の給電点２６と半田付けなどにより電気的に接続されている。
【００４０】
第２のプリント基板２４の外周は、使用する電波の波長と略同じ長さとしている。例えば、使用する周波数が２．４ＧＨｚであれば、前記外周は約１２ｃｍとなり、第２のプリント基板２４の外形が正方形の場合は、たて約３ｃｍ・よこ約３ｃｍの大きさとなる。
【００４１】
通常広いグランドを必要とする逆Ｆ型アンテナにおいて、第２のプリント基板２４の外周を、使用する電波の波長と略同じ長さとすることで、電波は第２のプリント基板２４の第２の長手導体部２１が設けられた面の裏面へと回り込み、第２の逆Ｆ型アンテナ２０の指向性パターンは、後述する図４（ｂ）に示すように、垂直軸Ｖのマイナス側へも広がるとともに、垂直軸Ｖ方向に存在したヌル点が消え、無指向性に近いものとなり、さらに、垂直偏波の利得と水平偏波の利得との差が少なくなる。
【００４２】
以上、本発明の実施形態において、第２の逆Ｆ型アンテナ２０は、金属板を適切な形状に切り抜くとともに折り曲げることによって形成されているが、これに限るものではなく、他の方法で逆Ｆ型アンテナを形成してもよい。
【００４３】
また、第２のプリント基板２４外形は、正方形であるが、これに限定するものではなく、略四角形、多角形、または、その一部を変形させてもよい。
【００４４】
図１は、本実施形態のダイバーシティアンテナ１を示す図である。ダイバーシティアンテナ１は、図２の第１の逆Ｆ型アンテナ１０と図３の第２の逆Ｆ型アンテナ２０とで構成される。第１の逆Ｆ型アンテナ１０は、図２の説明と同じであり、第２の逆Ｆ型アンテナ２０は、図３の説明と同じであるため、図２及び図３と同じ符号を付して、ここでの説明を省略する。
【００４５】
図１のダイバーシティアンテナ１は、第１の逆Ｆ型アンテナ１０の第１の長手導体部１１の中心軸Ｘ１と、第２の逆Ｆ型アンテナ２０の第２の長手導体部２１の中心軸Ｘ２とが、互いに略垂直となるように、かつ、第１の逆Ｆ型アンテナ１０の第１の給電用導体部１３の中心軸Ｙ１と、第２の逆Ｆ型アンテナ２０の第２の給電用導体部２３の中心軸Ｙ２とが互いに略平行となるように配置されている。
【００４６】
また、第１の逆Ｆ型アンテナ１０の第１の長手導体部１１に対向して設けられた第１のプリント基板１４と、第２の逆Ｆ型アンテナ２０の第２の長手導体部２１に対向して設けられた第２のプリント基板２４とは、略平行となるように対向して配置されている。
【００４７】
また、第１の逆Ｆ型アンテナ１０の第１のプリント基板１４と、第２の逆Ｆ型アンテナ２０の第２のプリント基板２４が対向して配置されたその中心に対して、第１のプリント基板の第１の長手導体部１１が設けられた面と、第２のプリント基板の第２の長手導体部２１が設けられた面とは、互いに外側を向くように配置されている。
【００４８】
また、第１の逆Ｆ型アンテナ１０の第１の長手導体部１１は、第１の給電用導体部１３を上側にしてその中心軸Ｘ１が略垂直に配置され、第２の逆Ｆ型アンテナ２０の第２の長手導体部２１は、その中心軸Ｘ２が略水平に配置されている。
【００４９】
また、第２の逆Ｆ型アンテナ２０の第２の長手導体部２１が、第２のプリント基板２４の水平方向中心軸Ｃ１よりも上側になるように配置されている。
【００５０】
図４は、本実施形態のダイバーシティアンテナ１の指向性パターンを示す図である。図４（ａ）は、図２の第１の逆Ｆ型アンテナ１０において、第１の長手導体部１１が第１のプリント基板１４の下側に位置するようにして、第１のプリント基板１４を水平にした状態で、垂直軸Ｖ基準の指向性パターンを示す図であり、垂直偏波に対する指向性パターンを実線で示し、水平偏波に対する指向性パターンを点線で示している。また、図４（ｂ）は、図３の第２の逆Ｆ型アンテナ２０において、第２の長手導体部２１が第２のプリント基板２４の上側に位置するようにして、第２のプリント基板２４を水平にした状態で、垂直軸Ｖ基準の指向性パターンを示す図であり、垂直偏波に対する指向性パターンを実線で示し、水平偏波に対する指向性パターンを点線で示している。
【００５１】
ここで、従来のダイバーシティアンテナ５０の指向性を示す図８と、本実施形態のダイバーシティアンテナ１の指向性パターンを示す図４とを比較する。従来の図８（ａ）の逆Ｆ型アンテナ６０の指向性パターンと、図８（ｂ）の逆Ｆ型アンテナ７０の指向性パターンとは、垂直偏波を見ると、逆Ｆ型アンテナ６０及び逆Ｆ型アンテナ７０が配置された、無線通信装置の筐体５１の上面基準にし、上側の利得と比較して、その下側の利得が小さく、垂直軸Ｖ方向にヌル点を持つ。また、実線で示す垂直偏波の利得と比較して、点線で示す水平偏波の利得が小さくなっている。
【００５２】
これに対して、本実施形態の第１の逆Ｆ型アンテナ１０における、第１の長手導体部１１が第１のプリント基板１４の下側に位置するようにして、第１のプリント基板１４を水平にした状態での指向性パターンを示す図４（ａ）において、第１のプリント基板１４を基準にし、その上下の利得を比較して、垂直偏波及び水平偏波ともに著しい差がなく、垂直軸Ｖ方向のヌル点が消え、あらゆる方向へ利得を持つ、すなわち、無指向性に近くなっている。また、実線で示す垂直偏波の利得と、点線で示す水平偏波の利得とを比較して、従来ほど大きな差はなくなっている。
【００５３】
また、本実施形態の第２の逆Ｆ型アンテナ２０における、第２の長手導体部２１が第２のプリント基板２４の上側に位置するようにして、第２のプリント基板２４を水平にした状態での指向性パターンを示す図４（ｂ）において、第２のプリント基板２４を基準にし、その上下の利得を比較して、垂直偏波及び水平偏波ともに著しい差がなく、垂直軸Ｖ方向のヌル点が消え、あらゆる方向へ利得を持つ、すなわち、無指向性に近くなっている。また、実線で示す垂直偏波の利得と、点線で示す水平偏波の利得とを比較して、従来ほど大きな差はなくなっている。
【００５４】
また、図４（ａ）では垂直偏波より水平偏波の利得が大きく、図４（ｂ）ではその逆である、つまり、２つのアンテナの得意とする偏波方向が異なることになり、ダイバーシティとして動作させたときに偏波の違いに強いことになる。
【００５５】
図５は、本発明の実施形態に係わる無線通信装置の内部回路構成を示すブロック図であり、図６は、本発明の実施形態に係わる無線通信装置内部のダイバーシティアンテナの設置状態を示す斜視図である。以下、本発明の実施形態について、図５と図６を参照して説明する。図５は、本実施形態の無線通信装置２の内部回路構成を示すブロック図である。図５の本実施形態の無線通信装置２は、以下の回路構成からなる。無線通信装置２は、ダイバーシティアンテナ１と送受信回路基板ユニット３０からなる。そして、送受信回路基板ユニット３０は、入力部３１、符号化回路３２、変調回路３３、送信回路３４、受信回路３５、復調回路３６、復号化回路３７及び出力部３８からなる。
【００５６】
入力部３１は符号化回路３２の入力に接続され、符号化回路３２の出力は変調回路３３の入力に接続され、変調回路３３の出力は送信回路３４の入力に接続され、送信回路３４の出力はダイバーシティアンテナ１に接続されている。また、ダイバーシティアンテナ１は受信回路３５の入力に接続され、受信回路３５の出力は復調回路３６の入力に接続され、復調回路３６の出力は復号化回路３７の入力に接続され、復号化回路３７の出力は出力部３８に接続されている。
【００５７】
次に、図５の本実施形態の無線通信装置２の動作について説明する。入力部３１から入力された映像データや音声データは、符号化回路３２によって符号化される。符号化されたデータ信号は、変調回路３３によって所定の周波数（例えば、２．４ＧＨｚ帯域）の搬送波で変調された後、送信回路３４で増幅されてダイバーシティアンテナ１より送信信号として放射される。
【００５８】
また、ダイバーシティアンテナ１で受信した受信信号は、受信回路３５で増幅されるとともに、この受信回路３５に設けられた図示しないフイルタ回路などによって所定の周波数（例えば、２．４ＧＨｚ）帯域の信号のみが復調回路３６に入力される。復調回路３６は、受信回路３５からの信号を検波することによって復調を行い、復調された信号は、復号化回路３７によって映像データや音声データとなり、出力部３８から外部へ出力される。
【００５９】
図６は、本実施形態の無線通信装置２の内部のダイバーシティアンテナ１の設置状態を示す斜視図である。
【００６０】
図６の無線通信装置２は、図１のダイバーシティアンテナ１と、このダイバーシティアンテナ１が接続された図５の内部回路構成を有する送受信回路基板ユニット３０と、キャビネット４０で構成されている。
【００６１】
図６は、ダイバーシティアンテナ１と、送受信回路基板ユニット３０とが、キャビネット４０の内部に設置された状態を、無線通信装置２の下側から見たものである。そして、内部が見えるようにするために、キャビネット４０の一部（図示しない下側キャビネット）を、取り外している。
【００６２】
そして、図１のダイバーシティアンテナ１を構成する図２の第１の逆Ｆ型アンテナ１０と図３の第２の逆Ｆ型アンテナ２０とは、送受信回路基板ユニット３０を挟んでそれを中心にして略対称となるように配置されている。
【００６３】
また、図１のダイバーシティアンテナ１を構成する図２の第１の逆Ｆ型アンテナ１０と図３の第２の逆Ｆ型アンテナ２０との配置は、図１のダイバーシティアンテナ１で説明した配置と同じであり、ここではその説明は省略する。
【００６４】
以上、本発明の実施形態において、無線通信装置２が、送受信機能を有する場合について示したが、これに限るものではなく、送信機能のみ、または、受信機能のみを有するものであってもよい。
【図面の簡単な説明】
【００６５】
【図１】は、本発明の実施形態に係わる第１の逆Ｆ型アンテナと第２の逆Ｆ型アンテナとで構成されるダイバーシティアンテナを示す図である。
【図２】は、本発明の実施形態に係わる第１の逆Ｆ型アンテナを示す外観斜視図である。
【図３】は、本発明の実施形態に係わる第２の逆Ｆ型アンテナを示す外観斜視図である。
【図４】は、本発明の実施形態に係わるダイバーシティアンテナの指向性パターンを示す図である。
【図５】は、本発明の実施形態に係わる無線通信装置の内部回路構成を示すブロック図である。
【図６】は、本発明の実施形態に係わる無線通信装置内部のダイバーシティアンテナの設置状態を示す斜視図である。
【図７】は、従来のダイバーシティアンテナを示す外観斜視図である。
【図８】は、従来のダイバーシティアンテナの指向性パターンを示す図である。
【符号の説明】
【００６６】
１    ダイバーシティアンテナ
２    無線通信装置
１０    第１の逆Ｆ型アンテナ
１１    第１の長手導体部
１２    第１の接地用導体部
１３    第１の給電用導体部
１４    第１のプリント基板
１５    グランドパターン（第１のプリント基板）
１６    給電点（第１のプリント基板の給電点）
２０    第２の逆Ｆ型アンテナ
２１    第２の長手導体部
２２    第２の接地用導体部
２３    第２の給電用導体部
２４    第２のプリント基板
２５    グランドパターン（第２のプリント基板）
２６    給電点（第２のプリント基板の給電点）
３０    送受信回路基板ユニット
３１    入力部
３２    符号化回路
３３    変調回路
３４    送信回路
３５    受信回路
３６    復調回路
３７    復号化回路
３８    出力部
４０    キャビネット
【図１】
2006129537.tif 000003
【図２】
2006129537.tif 000004
【図３】
2006129537.tif 000005
【図４】
2006129537.tif 000006
【図５】
2006129537.tif 000007
【図６】
2006129537.tif 000008
【図７】
2006129537.tif 000009
【図８】
2006129537.tif 000010